(57)【要約】【課題】浮力と重力は反対の性質を有するという自然科学に基づいて、底面に届かない所定の深さの水槽におけるチューブの浮上力と重量体の重力方向への引力とを用いて関節弛緩を行うと共に、固着した筋肉を再形成することにより腰椎椎間板ヘルニア及び脊髄校正などの物理治療を受けることのできる水中直立関節弛緩及び脊髄校正装置を提供すること。【解決手段】利用者の上体脇部に係止され、内部に充填される空気の浮力により利用者を水面の上浮上させるチューブと、前記チューブの下に設けられ、中央には係合孔が貫設されたブラケットと、利用者の腰部に着用され、上方には前記ブラケットの係合孔に係止される掛止具が設けられるチューブ固定ベルトと、利用者の足に着用され、底面には重量物が着脱自在に設けられて、前記重量物が有する重量を用いて重力により利用者を水面の下に引っ張る重量体と、前記チューブ固定ベルトに一方の端が連結され、他方の端は前記重量体に連結されて前記チューブの浮上力と前記重量体の重力を弾持する弾力帯と、を備え、前記チューブの浮上力と足に取り付けられた重量体の重力とを用いて利用者の関節を弛緩させると共に、一定の水中運動を通じて筋肉を再形成することを技術的要旨とする水中直立関節弛緩及び脊髄校正装置。【選択図】図１
2011512229.tif 000002
【特許請求の範囲】
【請求項１】
水が入れられている水槽に入っている利用者を水面の上下にそれぞれ引っ張って物理治療を行う水中直立関節弛緩及び脊髄校正装置において、
利用者の上体脇部に係止され、内部に充填される空気の浮力により利用者を水面の上浮上させるチューブと、
前記チューブの下に設けられ、中央には係合孔が貫設されたブラケットと、
利用者の腰部に着用され、上方には前記ブラケットの係合孔に係止される掛止具が設けられるチューブ固定ベルトと、
利用者の足に着用され、底面には重量物が着脱自在に設けられて、前記重量物が有する重量を用いて重力により利用者を水面の下に引っ張る重量体と、
前記チューブ固定ベルトに一方の端が連結され、他方の端は前記重量体に連結されて前記チューブの浮上力と前記重量体の重力を弾持する弾力帯と、
を備え、
前記チューブの浮上力と前記重量体の重力とを用いて利用者の関節を弛緩させることを特徴とする水中直立関節弛緩及び脊髄校正装置。
【発明の詳細な説明】
【技術分野】
【０００１】
本発明は水中直立関節弛緩及び脊髄校正装置に係り、さらに詳しくは、底面に足が届かない所定の深さの水中において、チューブの浮上力と重量体の重力が身体にかかったままで水中運動をすることから、関節弛緩および筋肉再形成を行うことができ、しかも、脊髄関連疾患を校正または予防することのできる水中直立関節弛緩及び脊髄校正装置に関する。
【背景技術】
【０００２】
通常、歩行をするときに大きな荷重が関節に加わり、かような荷重（特に、短時間に急激に加えられる衝撃荷重）は軟骨を傷めてしまい、これは関節部疾患につながる。また、過体重の場合には関節への荷重の加わる度合いが一層激しくなるため、そのまま放置すればさらに大きな疾病を引き起こしてしまい、関節を弛緩させて元の状態に戻すような物理治療が必要となる。
【０００３】
通常、物理治療とは、熱、電気、光線、温水及び冷水、運動などの物理的なエネルギーを用いて人体の筋肉を収縮及び弛緩させ、血行を増進させると共に、痛症を緩和させる目的で行われる療法をいい、関節疾患に悩んでいる患者には物理治療の中でも水中物理治療療法が推奨されている。
【０００４】
水中物理治療療法とは、水の浮力を用いて膝と足首関節の体重負荷を軽減することにより、効果的な筋肉運動を誘導することができ、運動効果を高められると共に、水の抵抗を用いた筋肉の強化に役立つような治療療法をいう。
【発明の概要】
【発明が解決しようとする課題】
【０００５】
本発明の目的は、上体に嵌められているチューブの浮上力により利用者の顔を水面の上に浮上させると共に、足に着用される重量体の重量を用いて下体を水面の下に引っ張るように構成し、且つ、水中における一定の運動を通じて関節弛緩と筋肉再形成を同時に行うように構成した水中直立関節弛緩及び脊髄校正装置を提供するところにある。
【０００６】
本発明の他の目的は、浮力と重力は反対の性質を有するという自然科学に基づいて、チューブと重量体とを弾力帯により連結して関節弛緩効果を一層高められる水中直立関節弛緩及び脊髄校正装置を提供するところにある。
【課題を解決するための手段】
【０００７】
上述した目的を達成するために、本発明に係る水中直立関節弛緩及び脊髄校正装置は、水が入れられている水槽に入っている利用者を水面の上下にそれぞれ引っ張って物理治療を行う水中直立関節弛緩及び脊髄校正装置において、利用者の上体脇部に係止され、内部に充填される空気の浮力により利用者を水面の上浮上させるチューブと、前記チューブの下に設けられ、中央には係合孔が貫設されたブラケットと、利用者の腰部に着用され、上方には前記ブラケットの係合孔に係止される掛止具が設けられるチューブ固定ベルトと、利用者の足に着用され、底面には重量物が着脱自在に設けられて、前記重量物が有する重量を用いて重力により利用者を水面の下に引っ張る重量体と、前記チューブ固定ベルトに一方の端が連結され、他方の端は前記重量体に連結されて前記チューブの浮上力と前記重量体の重力を弾持する弾力帯と、を備え、前記チューブの浮上力と前記重量体の重力とを用いて利用者の関節を弛緩させることを特徴とする。
【発明の効果】
【０００８】
本発明に係る水中直立関節弛緩及び脊髄校正装置は、チューブの浮上力により利用者の顔を水面の上に浮上させ、これとは逆に、足に取り付けられた重量体の重量により利用者を水面の下に引っ張ることにより、互いに反対方向に働くチューブの浮上力と重量体の重力を用いて利用者の関節部位を弛緩させると共に、一定の運動を通じて筋肉を再形成するものであり、物理治療などが行えるといった作用効果を奏する。
【０００９】
また、本発明は、チューブと重量体を弾力的に連結する弾力帯を通じて関節弛緩などの物理治療効果を一層高められるといった相乗的な効果を奏する。
【図面の簡単な説明】
【００１０】
【図１】本発明に係る水中直立関節弛緩及び脊髄校正装置を着用した利用者が物理治療を受けている状態を示す図。
【図２】図１に示す水中直立関節弛緩及び脊髄校正装置の構成を立体的に示す図。
【図３】図２に示す水中直立関節弛緩及び脊髄校正装置を構成する重量体を立体的に示す図。
【発明を実施するための形態】
【００１１】
以下、添付図面に基づき、本発明の実施形態を詳述する。後述する詳細な説明においては、上述した目的を達成するために本発明における代表的な実施形態を開示する。そして、本発明により開示可能な他の実施形態は、本発明構成の説明により代替する。
【００１２】
本発明は、利用者が水に入ると、浮力と重力とが互いに反対方向に引っ張るといった原理を用いて関節を弛緩するところにその特徴がある。本発明に係る水中直立関節弛緩及び脊髄校正装置は、チューブと、重量体と、これらのチューブ及び重量体を互いに連結する弾力帯とを備えるが、前記チューブは、利用者の上体に着用された上体で浮上力により利用者を水面の上に浮上させ、これとは逆に、足に着用される重量体はその重量により利用者を水面の下に引っ張るように構成し、特に、弾力帯を通じて前記チューブ及び重量体を弾持することにより、水中における利用者の関節弛緩物理治療などを行うものである。
【００１３】
以下、本発明を好適な実施形態に基づいて詳述するが、前記本発明が実施形態により限定されるものではない。
【００１４】
＜実施形態１＞
図１は、本発明に係る水中直立関節弛緩及び脊髄校正装置を着用した利用者が物理治療を受けている状態を示す図であり、図２は、図１に示す水中直立関節弛緩及び脊髄校正装置の構成を立体的に示す図である。
【００１５】
前記図１及び図２に示すように、水中物理治療方法は、水の浮力を用いて膝と足首関節の体重負荷を軽減することで効果的な筋肉運動の一助となる治療療法であり、利用者を水面に浮かび上げる程度の水Ｗを貯留可能な水槽１０を備え、前記水槽には本発明に係る水中直立関節弛緩及び脊髄校正装置を着用した利用者が入って自ら運動をする。
【００１６】
前記水中直立関節弛緩及び脊髄校正装置２０は、チューブ２２と、チューブ固定ベルト２８と、重量体３６及び弾力帯４６を備えてなる。
【００１７】
前記チューブ２２は、内部に充填される空気の浮力を用いて水面の上に浮上するものであり、前記チューブ２２は利用者の上体に嵌め付けられた状態で利用者の脇部に係止されて利用者を水面の上に浮上させる。
【００１８】
前記チューブ２２の下方には両側にはブラケット２４が設けられ、前記ブラケット２４には係合孔２６が貫設され、前記係合孔２６にはチューブ固定ベルト２８の掛止具３０が引っ掛かる。
【００１９】
前記チューブ固定ベルト２８は、利用者の腰部に着用され、利用者の上体に着用されたチューブ２２を固定すると共に、前記チューブ２２と重量体３６を弾力帯４６により連結するものであり、帯状に所定の長さを有するように製作され、その両端部は切り欠いた状態で各端部に係合部材２９を設けて、係合部材２９の締結及び締結解放により腰部に着用されたベルト２８の両端部の分離及び結合を行う。
【００２０】
前記チューブ固定ベルト２８の上方の両側には掛止具３０がそれぞれ設けられ、前記掛止具３０は前記チューブ２２のブラケット２４に穿孔されている係合孔２６に係止され、チューブ固定ベルト２８をチューブ２２に連結することになる。このとき、前記掛止具３０には面ファスナー３２を設けて、係合孔２６に掛止具３０が係止されると面ファスナー３２を貼り合わせて、使用中に掛止具３０が係合孔２６から抜脱することを防ぐ。
【００２１】
前記重量体３６は、利用者の足に着用されて重量物４４が有する重量を用いて利用者を水面の下（重力方向）に引っ張るものである。
【００２２】
図３は、上述した重量体３６の詳細構成図である。
【００２３】
同図に示すように、重量体３６は、全体的に履物状に製作されるものであり、クッション感を有し、底面に沿って多数の嵌合孔４２が穿孔された靴底３８と、前記靴底３８の上部に設けられて足を固定するベルト４０及び前記嵌合孔４２に着脱自在に嵌合され、重量体３６の重量を調節する重量物４４と、を備えてなる。
【００２４】
上記の構成を有するように製作された重量体３６は、関節部位や患者の状態を考慮して、靴底３８の嵌合孔４２に重量物４４を嵌め込んだり嵌合孔４２から重量物４４を取り出し、重量体３６の重量を調節した後に、靴底３８に利用者の足を入れた状態でベルト４０により固定することにより、簡単に着用可能になる。
【００２５】
前記弾力帯４６は、チューブ２２と重量体３６を弾力的に連結するものであり、前記弾力帯４６の一方の端はチューブ固定ベルト２８に連結され、他方の端は重量体３６のベルト４０に連結されて、水面の上に浮上するチューブ２２と水面の下に沈降する重量体３６を弾持する。
【００２６】
以下、本発明に係る水中直立関節弛緩及び脊髄校正装置の作用を述べる。利用者が水中において関節弛緩などの物理治療を行おうとするときには、本発明に係る水中直立関節弛緩及び脊髄校正装置２０における重量体３６を足に着用し、次いで、チューブ２２を患者の上体脇部に嵌め付けた後、チューブ固定ベルト２８を腰部に着用させた状態で前記チューブ固定ベルト２８に設けられている掛止具３０をチューブ２２のブラケット２４に穿孔されている係合孔２６に引っ掛けて水中直立関節弛緩及び脊髄校正装置２０を利用者の身体に着用させる。
【００２７】
上述した水中直立関節弛緩及び脊髄校正装置を着用した利用者が水が入れられている水槽１０に入ると、利用者の脇部に係止されているチューブ２２は内部に充填されている空気の浮力により利用者を水面の上に浮上させ、これとは逆に、利用者の足に着用されている重量体３６は重量物が有する重量により利用者を重力方向となる水面の下に引っ張るが、このとき、患者は互いに反対方向に働くチューブ２２の浮上力と重量体３６の重力により関節部位が弛緩される物理治療などの効果を得ることができる。
【００２８】
また、運動中に弾力帯４６がチューブ２２の浮上力と重量体３６の重力を弾持することにより、利用者の運動力を高めることが可能になる。
【符号の説明】
【００２９】
１０：水槽
２０：水中直立関節弛緩及び脊髄校正装置
２２：チューブ
２８：固定ベルト
３０：掛止具
３６：重量体
４６：弾力帯
【図１】
2011512229.tif 000003
【図２】
2011512229.tif 000004
【図３】
2011512229.tif 000005
【国際調査報告】
2011512229.tif 000006
2011512229.tif 000007
2011512229.tif 000008
2011512229.tif 000009